【手続補正書】
【提出日】平成19年11月26日(2007.11.26)
【手続補正１】
【補正対象書類名】明細書
【補正対象項目名】発明の名称
【補正方法】変更
【補正の内容】
【発明の名称】容器内油洗浄方法、容器内油洗浄装置、圧縮機の破砕分別方法、圧縮機の破砕分別装置
【手続補正２】
【補正対象書類名】明細書
【補正対象項目名】特許請求の範囲
【補正方法】変更
【補正の内容】
【特許請求の範囲】
【請求項１】  内部に油を封入もしくは油が付着した容器に内部と外部を連通する複数の開口部を設けるステップと、洗浄液が侵入し排出できる構造の収納装置に複数の前記容器を収納するステップと、前記収納装置を前記洗浄液の中に浸漬し前記開口部から前記洗浄液を前記容器内に入れるステップと、前記収納装置もしくは前記洗浄液を動かして、且つ前記収納装置を前記洗浄液から離脱させて前記容器内部の油を洗浄するステップと、を備えたことを特徴とする容器内油洗浄方法。
【請求項２】  前記洗浄液を貯留する洗浄槽内で前記収納装置の位置または角度を変えて前記容器内部の油を洗浄することを特徴とする請求項１記載の容器内油洗浄方法。
【請求項３】  前記洗浄液を貯留する洗浄槽内で前記洗浄液を撹拌し、もしくは前記洗浄液に超音波振動を与えて、もしくは前記洗浄液を加熱し前記洗浄液の温度を上げて前記容器内部の油を洗浄することを特徴とする請求項１記載の容器内油洗浄方法。
【請求項４】  内部に油が付着し内部と外部の間を複数の開口部で連通した容器を複数収容可能であって、洗浄液が侵入し排出できる構造の収納装置と、貯留する前記洗浄液に前記収納装置を浸漬、離脱させて、前記容器内に前記開口部を介し前記洗浄液を流入、流出させ前記油を洗浄する洗浄槽と、前記容器から流出し前記洗浄液の表面に浮いた油を回収する油回収手段と、を備えたことを特徴とする容器内油洗浄装置。
【請求項５】  前記洗浄槽に設けられ前記洗浄液を撹拌し、もしくは前記洗浄液に超音波振動を与えて前記容器内部に付着した油を分離する油分離手段を備えたことを特徴とする請求項４記載の容器内油洗浄装置。
【請求項６】  前記洗浄液を循環させる洗浄液循環手段を備えたことを特徴とする請求項４記載の容器内油洗浄装置。
【請求項７】  少なくとも一部を開口した圧縮機を洗浄液中に浸漬させて前記圧縮機内部に前記洗浄液を流入流出させて前記圧縮機内部の油を洗浄するステップと、前記洗浄した圧縮機に機械的な外力を加えて破砕するステップと、破砕された前記圧縮機の破砕片を材料ごとに分別するステップと、を備えたことを特徴とする圧縮機の破砕分別方法。
【請求項８】  重力による前記圧縮機内部の油抜きを行った後で前記洗浄液にて前記圧縮機内部の残油を洗浄することを特徴とする請求項７記載の圧縮機の破砕分別方法。
【請求項９】  複数の前記圧縮機を収納装置に収納し、一括して洗浄すると共に、前記収納装置に収納し洗浄した圧縮機を前記破砕手段に一括して投入し破砕することを特徴とする請求項７記載の圧縮機の破砕分別方法。
【請求項１０】  圧縮機内部と連通し前記圧縮機内部の油を抜き取り可能な開口部を開口する加工手段と、前記開口した圧縮機を洗浄液中に浸漬させ前記圧縮機内部に前記洗浄液を流入流出させて前記圧縮機内部の油を洗浄する洗浄手段と、前記洗浄した圧縮機を冷却する冷却手段と、前記冷却した圧縮機を機械的な外力を加え破砕する破砕手段と、前記破砕された圧縮機の破砕片を材料ごとに分別する分別手段と、を備えたことを特徴とする圧縮機の破砕分別装置。
【請求項１１】  前記加工手段が、前記開口部を前記圧縮機の容器両端のコーナー部に設けることを特徴とする請求項１０記載の圧縮機の破砕分別装置。
【請求項１２】  前記開口部が開口した複数の前記圧縮機を収納する収納装置を備え、前記収納装置に収納した複数の圧縮機を一括して前記洗浄手段により洗浄することを特徴とする請求項１０記載の圧縮機の破砕分別装置。
【手続補正３】
【補正対象書類名】明細書
【補正対象項目名】０００８
【補正方法】変更
【補正の内容】
【０００８】
【課題を解決するための手段】
本発明に係る容器内油洗浄方法は、内部に油を封入もしくは油が付着した容器に内部と外部を連通する複数の開口部を設けるステップと、洗浄液が侵入し排出できる構造の収納装置に複数の容器を収納するステップと、収納装置を洗浄液の中に浸漬し開口部から洗浄液を容器内に入れるステップと、収納装置もしくは洗浄液を動かして、且つ収納装置を洗浄液から離脱させて容器内部の油を洗浄するステップと、を備えたものである。
【手続補正４】
【補正対象書類名】明細書
【補正対象項目名】０００９
【補正方法】変更
【補正の内容】
【０００９】
また、本発明に係る容器内油洗浄方法は、洗浄液を貯留する洗浄槽内で収納装置の位置または角度を変えて容器内部の油を洗浄するものである。
【手続補正５】
【補正対象書類名】明細書
【補正対象項目名】００１０
【補正方法】変更
【補正の内容】
【００１０】
また、本発明に係る容器内油洗浄方法は、洗浄液を貯留する洗浄槽内で洗浄液を撹拌し、もしくは洗浄液に超音波振動を与えて、もしくは洗浄液を加熱し洗浄液の温度を上げて容器内部の油を洗浄するものである。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
また、本発明に係る容器内油洗浄装置は、内部に油が付着し内部と外部の間を複数の開口部で連通した容器を複数収容可能であって、洗浄液が侵入し排出できる構造の収納装置と、貯留する洗浄液に収納装置を浸漬、離脱させて、容器内に開口部を介し洗浄液を流入、流出させ油を洗浄する洗浄槽と、容器から流出し洗浄液の表面に浮いた油を回収する油回収手段と、を備えたものである。
【手続補正９】
【補正対象書類名】明細書
【補正対象項目名】００１４
【補正方法】変更
【補正の内容】
【００１４】
また、本発明に係る容器内油洗浄装置は、洗浄槽に設けられ洗浄液を撹拌し、もしくは洗浄液に超音波振動を与えて容器内部に付着した油を分離する油分離手段を備えたものである。
【手続補正１０】
【補正対象書類名】明細書
【補正対象項目名】００１５
【補正方法】変更
【補正の内容】
【００１５】
また、本発明に係る容器内油洗浄装置は、洗浄液を循環させる洗浄液循環手段を備えたものである。
【手続補正１１】
【補正対象書類名】明細書
【補正対象項目名】００１６
【補正方法】変更
【補正の内容】
【００１６】
また、本発明に係る圧縮機の破砕分別方法は、少なくとも一部を開口した圧縮機を洗浄液中に浸漬させて圧縮機内部に洗浄液を流入流出させて圧縮機内部の油を洗浄するステップと、洗浄した圧縮機に機械的な外力を加えて破砕するステップと、破砕された圧縮機の破砕片を材料ごとに分別するステップと、を備えたものである。
【手続補正１２】
【補正対象書類名】明細書
【補正対象項目名】００１７
【補正方法】変更
【補正の内容】
【００１７】
また、本発明に係る圧縮機の破砕分別方法は、重力による圧縮機内部の油抜きを行った後で洗浄液にて圧縮機内部の残油を洗浄するものである。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
また、本発明に係る圧縮機の破砕分別方法は、複数の圧縮機を収納装置に収納し、一括して洗浄すると共に、収納装置に収納し洗浄した圧縮機を破砕手段に一括して投入し破砕するものである。
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】変更
【補正の内容】
【００２２】
また、本発明に係る圧縮機の破砕分別装置は、圧縮機内部と連通し圧縮機内部の油を抜き取り可能な開口部を開口する加工手段と、開口した圧縮機を洗浄液中に浸漬させ圧縮機内部に洗浄液を流入流出させて圧縮機内部の油を洗浄する洗浄手段と、洗浄した圧縮機を冷却する冷却手段と、冷却した圧縮機を機械的な外力を加え破砕する破砕手段と、破砕された圧縮機の破砕片を材料ごとに分別する分別手段と、を備えたものである。
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】変更
【補正の内容】
【００２４】
また、本発明に係る圧縮機の破砕分別装置は、加工手段が、開口部を圧縮機の容器両端のコーナー部に設けるものである。
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】変更
【補正の内容】
【００２７】
また、本発明に係る圧縮機の破砕分別装置は、開口部が開口した複数の圧縮機を収納する収納装置を備え、収納装置に収納した複数の圧縮機を一括して洗浄手段により洗浄するものである。
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００８２
【補正方法】変更
【補正の内容】
【００８２】
【発明の効果】
本発明に係る容器内油洗浄方法は、内部に油を封入もしくは油が付着した容器に内部と外部を連通する複数の開口部を設けるステップと、洗浄液が侵入し排出できる構造の収納装置に複数の容器を収納するステップと、収納装置を洗浄液の中に浸漬し開口部から洗浄液を容器内に入れるステップと、収納装置もしくは洗浄液を動かして、且つ収納装置を洗浄液から離脱させて容器内部の油を洗浄するステップと、を備えたので、複数の容器内部の油を簡単に、短時間に洗浄できる。
【手続補正２９】
【補正対象書類名】明細書
【補正対象項目名】００８３
【補正方法】変更
【補正の内容】
【００８３】
また、本発明に係る容器内油洗浄方法は、洗浄液を貯留する洗浄槽内で収納装置の位置または角度を変えて容器内部の油を洗浄するので、容器内部の油を確実に排出できる。
【手続補正３０】
【補正対象書類名】明細書
【補正対象項目名】００８４
【補正方法】変更
【補正の内容】
【００８４】
また、本発明に係る容器内油洗浄方法は、洗浄液を貯留する洗浄槽内で洗浄液を撹拌し、もしくは洗浄液に超音波振動を与えて、もしくは洗浄液を加熱し洗浄液の温度を上げて容器内部の油を洗浄するので、容器内部に付着した油を短時間に洗浄できる。
【手続補正３１】
【補正対象書類名】明細書
【補正対象項目名】００８５
【補正方法】削除
【補正の内容】
【手続補正３２】
【補正対象書類名】明細書
【補正対象項目名】００８６
【補正方法】削除
【補正の内容】
【手続補正３３】
【補正対象書類名】明細書
【補正対象項目名】００８７
【補正方法】変更
【補正の内容】
【００８７】
また、本発明に係る容器内油洗浄装置は、内部に油が付着し内部と外部の間を複数の開口部で連通した容器を複数収容可能であって、洗浄液が侵入し排出できる構造の収納装置と、貯留する洗浄液に収納装置を浸漬、離脱させて、容器内に開口部を介し洗浄液を流入、流出させ油を洗浄する洗浄槽と、容器から流出し洗浄液の表面に浮いた油を回収する油回収手段と、を備えたので、容器内部の油の回収効率が良好な装置が得られる。
【手続補正３４】
【補正対象書類名】明細書
【補正対象項目名】００８８
【補正方法】変更
【補正の内容】
【００８８】
また、本発明に係る容器内油洗浄装置は、洗浄槽に設けられ洗浄液を撹拌し、もしくは洗浄液に超音波振動を与えて容器内部に付着した油を分離する油分離手段を備えたので、短時間に容器内部の油を回収できる装置が得られる。
【手続補正３５】
【補正対象書類名】明細書
【補正対象項目名】００８９
【補正方法】変更
【補正の内容】
【００８９】
また、本発明に係る容器内油洗浄装置は、洗浄液を循環させる洗浄液循環手段を備えたので、確実に洗浄液の表面に浮いた油を回収できる。
【手続補正３６】
【補正対象書類名】明細書
【補正対象項目名】００９０
【補正方法】変更
【補正の内容】
【００９０】
また、本発明に係る圧縮機の破砕分別方法は、少なくとも一部を開口した圧縮機を洗浄液中に浸漬させて圧縮機内部に洗浄液を流入流出させて圧縮機内部の油を洗浄するステップと、洗浄した圧縮機に機械的な外力を加えて破砕するステップと、破砕された圧縮機の破砕片を材料ごとに分別するステップと、を備えたので、圧縮機内部の油の洗浄効率を向上させると共に、圧縮機の破砕処理における作業安全性を向上させることができる。
【手続補正３７】
【補正対象書類名】明細書
【補正対象項目名】００９１
【補正方法】変更
【補正の内容】
【００９１】
また、本発明に係る圧縮機の破砕分別方法は、重力による圧縮機内部の油抜きを行った後で洗浄液にて圧縮機内部の残油を洗浄するので、確実に圧縮機内部の油を洗浄することができる。
【手続補正３８】
【補正対象書類名】明細書
【補正対象項目名】００９２
【補正方法】削除
【補正の内容】
【手続補正３９】
【補正対象書類名】明細書
【補正対象項目名】００９３
【補正方法】変更
【補正の内容】
【００９３】
また、本発明に係る圧縮機の破砕分別方法は、複数の圧縮機を収納装置に収納し、一括して洗浄すると共に、収納装置に収納し洗浄した圧縮機を破砕手段に一括して投入し破砕するので、短時間で圧縮機のリサイクルが可能である。
【手続補正４０】
【補正対象書類名】明細書
【補正対象項目名】００９４
【補正方法】削除
【補正の内容】
【手続補正４１】
【補正対象書類名】明細書
【補正対象項目名】００９５
【補正方法】削除
【補正の内容】
【手続補正４２】
【補正対象書類名】明細書
【補正対象項目名】００９６
【補正方法】変更
【補正の内容】
【００９６】
また、本発明に係る圧縮機の破砕分別装置は、圧縮機内部と連通し圧縮機内部の油を抜き取り可能な開口部を開口する加工手段と、開口した圧縮機を洗浄液中に浸漬させ圧縮機内部に洗浄液を流入流出させて圧縮機内部の油を洗浄する洗浄手段と、洗浄した圧縮機を冷却する冷却手段と、冷却した圧縮機を機械的な外力を加え破砕する破砕手段と、破砕された圧縮機の破砕片を材料ごとに分別する分別手段と、を備えたので、安全に圧縮機のリサイクルが行える装置が得られる。
【手続補正４３】
【補正対象書類名】明細書
【補正対象項目名】００９７
【補正方法】削除
【補正の内容】
【手続補正４４】
【補正対象書類名】明細書
【補正対象項目名】００９８
【補正方法】変更
【補正の内容】
【００９８】
また、本発明に係る圧縮機の破砕分別装置は、加工手段が、開口部を圧縮機の容器両端のコーナー部に設けるので、洗浄の際、圧縮機内部の油の回収効率が向上する。
【手続補正４５】
【補正対象書類名】明細書
【補正対象項目名】００９９
【補正方法】削除
【補正の内容】
【手続補正４６】
【補正対象書類名】明細書
【補正対象項目名】０１００
【補正方法】削除
【補正の内容】
【手続補正４７】
【補正対象書類名】明細書
【補正対象項目名】０１０１
【補正方法】変更
【補正の内容】
【０１０１】
また、本発明に係る圧縮機の破砕分別装置は、開口部が開口した複数の圧縮機を収納する収納装置を備え、収納装置に収納した複数の圧縮機を一括して洗浄手段により洗浄するので、短時間で洗浄することができる。
【手続補正４８】
【補正対象書類名】明細書
【補正対象項目名】０１０２
【補正方法】削除
【補正の内容】
【手続補正４９】
【補正対象書類名】明細書
【補正対象項目名】０１０３
【補正方法】削除
【補正の内容】
【手続補正５０】
【補正対象書類名】明細書
【補正対象項目名】０１０４
【補正方法】削除
【補正の内容】
【手続補正５１】
【補正対象書類名】明細書
【補正対象項目名】０１０５
【補正方法】削除
【補正の内容】
【手続補正５２】
【補正対象書類名】明細書
【補正対象項目名】０１０６
【補正方法】削除
【補正の内容】